(57)【要約】【課題】オペレータに対して注意喚起を行い、保守の重要性を認識させることができる施設管理装置及び施設管理方法を提供する。【解決手段】施設管理装置は、設備の運転を監視及び制御するための管理ポイントデータを、所定周期で取得する管理ポイントデータ取得手段１と、管理ポイントデータのタイプ毎に監視期間を設定する監視期間設定手段２と、管理ポイントデータ取得手段１が取得した管理ポイントデータの前回値と今回値を比較し、監視期間内に変化があるか否かを監視する管理ポイントデータ監視手段３と、管理ポイントデータ監視手段３により、監視期間内に管理ポイントデータの変化がなかったと判断された場合に、その旨を通知する監視結果通知手段４とを備える。【選択図】図１
2011003007.tif 000002
【特許請求の範囲】
【請求項１】
施設内の設備の運転を監視するための施設管理装置であって、
前記設備の運転を監視及び制御するための管理ポイントデータを、所定周期で取得する管理ポイントデータ取得手段と、
前記管理ポイントデータ取得手段が取得した管理ポイントデータの前回値と今回値を比較し、所定の監視期間内に変化があるか否かを監視する管理ポイントデータ監視手段と、
前記管理ポイントデータ監視手段により、前記監視期間内に前記管理ポイントデータの変化がなかったと判断された場合に、その旨を通知する監視結果通知手段とを備えることを特徴とする施設管理装置。
【請求項２】
請求項１に記載の施設管理装置であって、
管理ポイントデータのタイプ毎に、監視期間を設定する監視期間設定手段を備えることを特徴とする施設管理装置。
【請求項３】
請求項１又は請求項２に記載の施設管理装置であって、
監視結果通知手段は、監視画面に、各設備の情報を、前回値と今回値とが一致している期間が長い順番にランキング表示させることを特徴とする施設管理装置。
【請求項４】
施設内の設備の運転を監視するための施設管理装置の施設管理方法であって、
前記設備の運転を監視及び制御するための管理ポイントデータを、所定周期で取得する管理ポイントデータ取得ステップと、
前記管理ポイントデータ取得ステップで取得した管理ポイントデータの前回値と今回値を比較し、所定の監視期間内に変化があるか否かを監視する管理ポイントデータ監視ステップと、
前記管理ポイントデータ監視ステップにおいて、前記監視期間内に前記管理ポイントデータの変化がなかったと判断された場合に、その旨を通知する監視結果通知ステップとを備えることを特徴とする施設管理方法。
【請求項５】
請求項４に記載の施設管理方法であって、
管理ポイントデータのタイプ毎に、監視期間を設定する監視期間設定ステップを備え、
管理ポイントデータ監視ステップでは、前記監視期間設定ステップで設定された監視期間内に管理ポイントデータの変化があるか否かを監視することを特徴とする施設管理方法。
【請求項６】
請求項４又は請求項５に記載の施設管理方法であって、
監視結果通知ステップの通知を受け付けて、施設管理装置の監視画面に、各設備の情報を、前回値と今回値とが一致している期間が長い順番にランキング表示させる監視結果表示ステップを備えることを特徴とする施設管理方法。
【発明の詳細な説明】
【技術分野】
【０００１】
この発明は、施設設備の無変化状態を検出する施設管理装置及び施設管理方法に関するものである。
【背景技術】
【０００２】
プラント、建物設備等の施設管理装置では、設備の運転／停止の状態、警報情報、書き込み／読み込みする設定値、検出器（センサ、カメラ等）の計測情報といった管理ポイントデータが、１０００点から数万点までの膨大な数となっている。施設管理装置は、リアルタイムに各管理ポイントデータの変化を監視して、状態変化の情報（運転から停止、停止から運転等）、警報発生の情報、計測値推移の情報を通知するようにしている（例えば、特許文献１，２参照）。
【先行技術文献】
【特許文献】
【０００３】
【特許文献１】特開２００６−３５２６４４号公報
【特許文献２】特開平９−３３１３６２号公報
【発明の概要】
【発明が解決しようとする課題】
【０００４】
従来の施設管理装置は以上のように構成されているので、変化があった管理ポイントデータについては、検出可能であり、通知及びその後の監視もできるが、それとは正反対に変化がない管理ポイントデータについては、チェック機能が特になく、管理ポイントデータの確からしさを確認することができないという課題があった。
【０００５】
この発明は、上記のような課題を解決するためになされたもので、管理ポイントデータそのものを監視して所定期間無変化の場合にこれを通知することによってオペレータに対して注意喚起を行い、保守の重要性を認識させることができる施設管理装置及び施設管理方法を提供することを目的とする。
【課題を解決するための手段】
【０００６】
この発明に係る施設管理装置は、設備の運転を監視及び制御するための管理ポイントデータを、所定周期で取得する管理ポイントデータ取得手段と、管理ポイントデータ取得手段が取得した管理ポイントデータの前回値と今回値を比較し、所定の監視期間内に変化があるか否かを監視する管理ポイントデータ監視手段と、管理ポイントデータ監視手段により、監視期間内に管理ポイントデータの変化がなかったと判断された場合に、その旨を通知する監視結果通知手段とを備えるようにしたものである。
【０００７】
この発明に係る施設管理装置は、管理ポイントデータのタイプ毎に、監視期間を設定する監視期間設定手段を備えるようにしたものである。
【０００８】
この発明に係る施設管理装置は、監視結果通知手段は、監視画面に、各設備の情報を、前回値と今回値とが一致している期間が長い順番にランキング表示させるようにしたものである。
【０００９】
この発明に係る施設管理方法は、設備の運転を監視及び制御するための管理ポイントデータを、所定周期で取得する管理ポイントデータ取得ステップと、管理ポイントデータ取得ステップで取得した管理ポイントデータの前回値と今回値を比較し、所定の監視期間内に変化があるか否かを監視する管理ポイントデータ監視ステップと、管理ポイントデータ監視ステップにおいて、監視期間内に管理ポイントデータの変化がなかったと判断された場合に、その旨を通知する監視結果通知ステップとを備えるようにしたものである。
【００１０】
この発明に係る施設管理方法は、管理ポイントデータのタイプ毎に、監視期間を設定する監視期間設定ステップを備え、管理ポイントデータ監視ステップでは、監視期間設定ステップで設定された監視期間内に管理ポイントデータの変化があるか否かを監視するようにしたものである。
【００１１】
この発明に係る施設管理方法は、監視結果通知ステップの通知を受け付けて、施設管理装置の監視画面に、各設備の情報を、前回値と今回値とが一致している期間が長い順番にランキング表示させる監視結果表示ステップを備えるようにしたものである。
【発明の効果】
【００１２】
この発明によれば、管理ポイントデータに変化がない場合であっても通知するようにしたので、管理ポイントデータを用いて管理する設備機器が実際には故障している、又はデータファイル自体に問題があるといった場合の手がかりとすることができる。これにより、メンテナンス時の原因追求及び診断の時間を短縮することができる。また、運転が継続している設備機器を抽出することで使用エネルギを監視でき、無駄を確認することが容易となる。この結果、オペレータに対して注意喚起を行い、保守の重要性を認識させることができる施設管理装置及び施設管理方法を提供できる。
【００１３】
この発明によれば、管理ポイントデータのタイプ毎に監視期間を設定するようにしたので、管理ポイントデータのタイプ毎に適切な無変化期間の検出を行うことができる。
【００１４】
この発明によれば、無変化期間が長い順番に各設備の情報をランキング表示するようにしたので、メンテナンス時に、膨大なデータ量であっても診断及び問題の有無の判断を迅速に行えるように、データを抽出及び集約することができる。
【図面の簡単な説明】
【００１５】
【図１】この発明の実施の形態１に係る施設管理装置の構成を示すブロック図である。
【図２】実施の形態１に係る施設管理装置の動作を示すフローチャートである。
【図３】実施の形態１に係る施設管理装置の管理ポイントデータ監視手段の処理を説明するための説明図であり、図３（ａ）にデジタル管理ポイントデータ、図３（ｂ）にアナログ管理ポイントデータ、図３（ｃ）に積算管理ポイントデータの時系列のグラフを示す。
【図４】実施の形態１に係る施設管理装置の画面表示の一例を示す説明図である。
【発明を実施するための形態】
【００１６】
実施の形態１．
図１は、この発明の実施の形態１に係る施設管理装置の構成を示すブロック図である。図１に示す施設管理装置は、施設設備の運転を監視及び制御するための管理ポイントデータを取得する管理ポイントデータ取得手段１と、管理ポイントデータのタイプに応じた監視期間を設定する監視期間設定手段２と、管理ポイントデータの前回値と今回値を比較して監視期間内に変化があるか否かを監視する管理ポイントデータ監視手段３と、監視期間内に管理ポイントデータの変化がなかったと判断された場合にその旨を通知する監視結果通知手段４と、各設備の情報を管理ポイントデータの前回値と今回値とが一致している期間が長い順番にランキング表示する監視結果表示手段５とを備える。
【００１７】
管理ポイントデータ取得手段１は、施設設備を運転及び制御するために用いられる管理ポイントデータを定周期で収集して、収集した現在値を今回値として取得してメモリに記憶させ、管理ポイントデータとして管理する。
【００１８】
監視期間設定手段２は、各設備について、管理ポイントデータのタイプ（デジタルデータ、アナログデータ、積算データ等）に応じて、監視期間を予め設定しておく。例えば、設備機器の運転停止がデジタルデータとして出力された管理ポイントデータであれば監視期間を４８時間とする。また、室内温度がアナログデータとして出力された管理ポイントデータであれば監視期間を２４時間とする。また、電力量の積算データが出力された管理ポイントデータであれば監視期間を７２時間とする。
【００１９】
管理ポイントデータ監視手段３は監視期間タイマを備え、監視期間が開始されるとそのカウントを開始する。そして、管理ポイントデータ監視手段３は、管理ポイントデータ取得手段１が取得した今回値をメモリで管理されている前回値と比較して、変化があった場合に監視期間タイマのカウントをリセットし、他方、変化がない場合はカウントを進め、カウントが監視期間を超えると、監視期間に管理ポイントデータに変化がないことを示す状態無変化の監視結果（ワーニング情報）を監視結果通知手段４へ出力する。
他方、今回値が前回値から変化し、所定の条件を満たす場合には、管理ポイントデータ監視手段３は、監視期間に管理ポイントデータに変化があったことを示す状態変化の監視結果（状態変化検出情報）を監視結果通知手段４へ出力するようにしてもよい。
なお、管理ポイントデータ監視手段３は監視結果を通信回線等を経由して外部へ通知するようにしてもよい。
【００２０】
監視結果通知手段４は、管理ポイントデータ監視手段３からワーニング情報を受け取ると、監視結果表示手段５が備える表示画面に、監視期間中に管理ポイントデータに変化がなかった設備を注意喚起情報（ワーニング）として表示する。なお、監視結果表示手段５を、画面表示機能だけでなく音声出力機能も備える構成にして、注意喚起情報を画面表示だけでなく音声出力するようにしてもよい。また、監視結果通知手段４は、管理ポイントデータ監視手段３から状態変化検出情報を受け取った場合にも、監視結果表示手段５にその旨を画面表示させるようにしてもよい。
【００２１】
次に、施設管理装置の動作を説明する。図２は、実施の形態１に係る施設管理装置の動作を示すフローチャートである。
先ず、監視期間設定手段２は、予め設定されている管理ポイントデータタイプ毎の監視期間の情報を参照して、管理ポイントデータ取得手段１が収集する各管理ポイントデータのタイプに応じた監視期間をそれぞれ登録する（ステップＳＴ１、監視期間設定ステップ）。
【００２２】
ここでは一例として、設備機器の運転を「１」、停止を「０」で示すデジタルデータの管理ポイントデータを管理ポイント＃Ｄ１，＃Ｄ２と定義し、室内温度を示すアナログデータの管理ポイントデータを管理ポイント＃Ａ１，＃Ａ２と定義し、電力量の積算データの管理ポイントデータを管理ポイント＃Ｉ１，＃Ｉ２と定義して、これら合計６管理ポイントデータを管理対象とする。そして、監視期間設定手段２によって、管理ポイント＃Ｄ１，＃Ｄ２に監視期間４８時間が登録され、管理ポイント＃Ａ１，＃Ａ２に監視期間２４時間が登録され、管理ポイント＃Ｉ１，＃Ｉ２に監視期間７２時間が登録されたものとする。
【００２３】
各設備の管理ポイントデータの監視が開始されると、管理ポイントデータ監視手段３が監視期間タイマのカウントを開始すると共に、管理ポイントデータ取得手段１が各管理ポイントデータ取得を開始する（ステップＳＴ２）。そして、管理ポイントデータ取得手段１が定周期で今回値を取得し（ステップＳＴ３、管理ポイントデータ取得ステップ）、管理ポイントデータ監視手段３が今回値と前回値を比較する（ステップＳＴ４）。
【００２４】
図３は、実施の形態１の管理ポイントデータ監視手段３の処理を説明するための図であり、図３（ａ）は管理ポイント＃Ｄ１，＃Ｄ２のデジタルデータの時系列グラフである。なお、図３において、各矢印は監視期間タイマのカウント期間を表し、矢印が新たな矢印に切り替わる時点は監視期間タイマがリセットされたことを表す。
時点Ａにおいて取得された管理ポイント＃Ｄ１，＃Ｄ２の今回値が前回値と一致しないので（ステップＳＴ４“ＹＥＳ”）、管理ポイントデータ監視手段３は管理ポイント＃Ｄ１，＃Ｄ２の各監視期間タイマをリセットする（ステップＳＴ５）。また、この際、図２のフローチャートでは図示を省略するが、管理ポイントデータ監視手段３から監視結果通知手段４へ状態変化検出情報を通知し、監視結果表示手段５に画面表示させるようにしてもよい。管理ポイントデータ監視手段３は、監視期間タイマのカウントが監視期間４８時間を超えないことを確認して（ステップＳＴ７“ＮＯ”）、次の定周期の管理ポイントデータ取得を待つ。
【００２５】
時点Ｂにおいて取得された管理ポイント＃Ｄ１の今回値は前回値と一致しないので（ステップＳＴ４“ＹＥＳ”）、管理ポイントデータ監視手段３は監視期間タイマをリセットする（ステップＳＴ５）。また、この際、時点Ａと同様に、管理ポイントデータ監視手段３は状態変化検出情報を通知して、画面表示させてもよい。管理ポイントデータ監視手段３は、監視期間タイマのカウントが監視期間４８時間を超えないことを確認して（ステップＳＴ７“ＮＯ”）、次の定周期の管理ポイントデータ取得を待つ。
他方、時点Ｂにおいて取得された管理ポイント＃Ｄ２の今回値は前回値と一致するので（ステップＳＴ４“ＮＯ”）、管理ポイントデータ監視手段３は監視期間タイマをカウントする（ステップＳＴ６）。管理ポイントデータ監視手段３は、監視期間タイマのカウントが監視期間４８時間を超えないことを確認して（ステップＳＴ７“ＮＯ”）、次の定周期の管理ポイントデータ取得を待つ。
【００２６】
時点Ｃにおいて取得された管理ポイント＃Ｄ１，＃Ｄ２の今回値は前回値と一致し（ステップＳＴ４“ＮＯ”）、各監視期間タイマがそれぞれカウントされる（ステップＳＴ６）。管理ポイントデータ監視手段３は、管理ポイント＃Ｄ１の監視期間タイマはカウントが監視期間４８時間を超えていないことを確認して（ステップＳＴ７“ＮＯ”）、次の定周期の管理ポイントデータ取得を待つ。
他方、管理ポイント＃Ｄ２の監視期間タイマはカウントが監視期間４８時間を超えたため（ステップＳＴ７“ＹＥＳ”）、管理ポイントデータ監視手段３は管理ポイント＃Ｄ２のワーニング情報を監視結果通知手段４に通知する（ステップＳＴ８、監視結果通知ステップ）。そして、監視結果通知手段４が監視結果表示手段５の表示画面にワーニング情報に基づいた注意喚起情報を表示させる（ステップＳＴ９、監視結果表示ステップ）。なお、ステップＳＴ４〜ＳＴ７が管理ポイントデータ監視ステップである。
【００２７】
図３（ｂ）は、管理ポイント＃Ａ１，＃Ａ２のアナログデータの時系列グラフである。管理ポイント＃Ａ１の室内温度を示す管理ポイントデータは、管理ポイントデータ監視手段３によって温度変化が検出されるので、温度変化検出の都度、監視期間タイマのカウントがリセットされて監視期間を超えることがなく、ワーニング情報が通知されることもない。他方、管理ポイント＃Ａ２の室内温度を示す管理ポイントデータは、時点Ｄの温度変化検出以降、値が一定で変化が検出されないので監視期間タイマがリセットされずにカウントされ続け、時点Ｅで監視期間２４時間を超えると、管理ポイントデータ監視手段３からワーニング情報が通知される。
【００２８】
図３（ｃ）は、管理ポイント＃Ｉ１，＃Ｉ２の積算データの時系列グラフである。管理ポイント＃Ｉ１の電力量積算の管理ポイントデータは、管理ポイントデータ監視手段３によって積算値の変化が検出されるので、積算値変化検出の都度、監視期間タイマのカウントがリセットされて監視期間を超えることがなく、ワーニング情報が通知されることもない。他方、管理ポイント＃Ｉ２の電力量積算の管理ポイントデータは、時点Ｆの積算値変化検出以降、値が一定で変化が検出されないので監視期間タイマがリセットされずにカウントされ続け、時点Ｇで監視期間７２時間を超えると、管理ポイントデータ監視手段３からワーニング情報が通知される。
【００２９】
図４は、実施の形態１の監視結果表示手段５の画面表示の一例を示す説明図である。監視結果表示手段５は、監視画面１０上に、注意喚起情報１１を表示する。この例では、管理ポイント＃Ｄ２（４Ｆ東側執務室Ａ）の機器に状態変化がないこと、管理ポイント＃Ａ２（４Ｆ東側執務室Ａ）に温度変化がないこと、管理ポイント＃Ｉ２（１Ｆ西側電力量）に積算値変化がないことを示す注意喚起情報１１が表示される。
オペレータは、この注意喚起情報１１から、認識不能の故障（接点故障等）又はデータファイルの不正により、本来変化があるはずの機器状態、室内温度、電力量積算値といった管理ポイントデータ又はその設備機器に何らかの異常が発生していることを認識できる。また、この注意喚起情報１１から、運転が継続している設備機器を洗い出しすることができ、エネルギの無駄を検出することができる。
【００３０】
なお、注意喚起情報１１は、変化がない時間が長い順番にその設備の情報をランキング表示するようにしてもよい。図４の例では、７２時間積算値変化がない管理ポイント＃Ｉ２（１Ｆ西側電力量）、４８時間状態変化がない管理ポイント＃Ｄ２（４Ｆ東側執務室Ａ）、２４時間温度変化がない管理ポイント＃Ａ２（４Ｆ東側執務室Ａ）の順番で、注意喚起情報１１が表示されている。
また、対象となる設備数が多ければ、管理ポイントデータのタイプ毎に、変化がない時間が長い順番にランキング表示するようにしてもよい。
【００３１】
以上より、実施の形態１によれば、設備の運転を監視及び制御するための管理ポイントデータを、所定周期で取得する管理ポイントデータ取得手段１と、管理ポイントデータのタイプ毎に監視期間を設定する監視期間設定手段２と、管理ポイントデータ取得手段１が取得した管理ポイントデータの前回値と今回値を比較し、監視期間内に変化があるか否かを監視する管理ポイントデータ監視手段３と、管理ポイントデータ監視手段３により、監視期間内に管理ポイントデータの変化がなかったと判断された場合に、その旨を通知する監視結果通知手段４とを備えるように構成した。このため、設備の管理ポイントデータひとつひとつの変化がない期間を監視することで、認識不能の故障又はデータファイルの読み書きに問題がある等の異常を認識できるようになり、メンテナンス時の故障原因の追求、診断、データの確からしさの判断に役立たせることができる。また、管理ポイントデータ監視手段３の監視結果に基づいて、運転が継続している機器の洗い出しを行うことにより、エネルギの無駄を検出判断することも可能となる。
【００３２】
さらに、監視結果通知手段４のワーニング情報が通知されると、監視結果表示手段５が監視画面１０に注意喚起情報１１を表示するが、この注意喚起情報１１上の各設備の情報を、前回値と今回値が一致している時間が長い順番にランキング表示するように構成した。このため、メンテナンス時に、膨大なデータ量であっても、施設設備の診断及び問題の有無の判断を迅速に行うことができるようにデータを抽出及び集約することができる。
【符号の説明】
【００３３】
１  管理ポイントデータ取得手段
２  監視期間設定手段
３  管理ポイントデータ監視手段
４  監視結果通知手段
５  監視結果表示手段
１０  監視画面
１１  注意喚起情報
【図１】
2011003007.tif 000003
【図２】
2011003007.tif 000004
【図３】
2011003007.tif 000005
【図４】
2011003007.tif 000006